(57)【特許請求の範囲】
【請求項１】
焼網上に載置される被調理物を加熱調理するガスバーナがグリル庫の内壁面に設けられると共に、該ガスバーナの燃焼廃ガスや被調理物から発生する煙等を排出する排気ダクトがグリル庫内の奥行部の隔壁に開設される連通口を介して設けられ、該連通口は前記焼網上に載置された被調理物よりも下方に設けられ、かつその上端幅が下端幅より長い逆台形状に形成され、前記排気ダクトは一枚板の折り曲げにより上方に向かってグリル庫の幅方向に漸次拡径となる逆台形状に形成されていることを特徴とするグリル庫の排気構造。
【発明の詳細な説明】
【０００１】
【発明の属する技術分野】
本発明は、魚類などの被調理物をグリル庫内の焼網上でガスバーナにより加熱調理する調理用グリルに関し、さらに詳しくは、被調理物の加熱に供されグリル庫内に充満する燃焼廃ガスや被調理物から発生する煙等の排気ダクトからの排気流れの抵抗を減少させるグリル庫の排気構造に関するものである。
【０００２】
【従来の技術】
従来からテーブルコンロにおいては、グリル庫内で魚等の被調理物を加熱調理する調理用グリルを組み込んだものは知られている。こうした調理用グリルには、図１に示すように、グリル庫２２内に被調理物Ｆを載置する焼網２４と、被調理物からの焼き脂等を受ける受皿２８とを備え、グリル庫２２内の上方側面に設置される全一次空気式の上バーナ２６の燃焼面を斜め上方に向け、その焼網２４のやや下方側面にはブンゼン燃焼式の下バーナ２７を設けると共に、グリル庫２２の奥行部の排気室３６への連通口３８が焼網２４の被調理物Ｆ載置面より下方に設けられている。
【０００３】
このような構成により、グリル庫２２下部の受皿２８に溜まった焼き脂等への加熱を低減しつつグリル庫２２内での燃焼廃ガスを上方から下方に充満させ、この燃焼廃ガス熱で焼網２４上の被調理物Ｆを加熱調理することにより加熱調理性能を損なうことなく焼き脂の温度を発火点以下に抑えることができ、さらに排気室３６のドラフト効果によりグリル庫の手前の隙間４７及びギャラリ４７ａから外部の新鮮な空気が吸引され、受皿２８を冷却して後方の連通口３８から排出されることにより、受皿２８に水を張らなくても焼き脂等の過熱による発火が防止できるという、いわゆる、水無しグリルがある。
【０００４】
このような調理用グリルでは、ガスバーナの燃焼廃ガスがグリル庫２２内に十分こもって被調理物Ｆの加熱に供された後、その燃焼廃ガスや被調理物Ｆから発生する煙等は、焼網２４の被調理物Ｆ載置面より下方に設けられる連通口３８の上部側に集中した流れを形成して排気室３６へ流れ、ドラフト効果によって排気ダクト３４の排気口３２より庫外へ自然排気される。この排気ダクト３４の構造として、例えば図７に示すものが知られている。
【０００５】
これは図１のＢ−Ｂ断面を示しており、その排気ダクト３４が排気上流側より排気下流側に向けて排気面積が一定のストレート構造のものである。この場合、焼き脂が異常過熱されて発火した場合に、その火炎が排気口３２から外部に溢れ出すことを防止するために、複数の通気孔が形成された多孔板で火炎の伝播を阻止して消炎させるフレームトラップ３３を備えたものもある。
【０００６】
【発明が解決しようとする課題】
しかしながら、このような自然排気方式を用いたオーブン的加熱構造の両面焼調理用グリルにおいては、高温の燃焼廃ガスがグリル庫２２内に十分こもって被調理物Ｆの加熱に供された後、その燃焼廃ガスや被調理物Ｆから発生する煙等は、焼網２４の被調理物Ｆ載置面より下方に設けられる連通口３８の上部を通って排気室３６へ流れ、排気ダクト３４の排気口３２より庫外へ抵抗なくスムーズに排出されることで良好な燃焼性を確保されるが、この図７に示したストレート排気構造のものでは、グリル庫２２下方部の下バーナ２７等の配設により、排気ダクト３４の幅方向の長さが制限されて充分な排気断面積が確保できないため、その燃焼廃ガスや被調理物から発生する煙等の排気の流れが排気室３８内で滞留してスムーズにグリル庫２２外に排出されなくなり、燃焼廃ガスがグリル庫２２内にこもりすぎて燃焼性が悪くなり易く、特に排気口３２に前述のフレームトラップ３３を備えた場合は、これらの傾向がより大きくなるという問題があった。
【０００７】
また、高温の燃焼廃ガスがグリル庫２２内にこもり過ぎることで、受皿２８に溜まった焼き脂等を過熱することにもなり、またスムーズに排気されないことにより、グリル庫の手前の隙間４７及びギャラリ４７ａから外部の新鮮な空気が、受皿２８を冷却するのに十分吸引されなくなり、さらにはブンゼン式の下バーナ２７の燃焼に必要な二次空気が不足するという問題もあった。そこでこれを解消しようとするものとして、図８のように排気室３６の出口面積を拡大することも考えられる。しかし、このように排気口３２を広げても、少しは排気抵抗が減少されるが、十分とは言えなかった。
【０００８】
本発明の解決しようとする課題は、この種の調理用グリルにおいて、グリル庫内で被調理物の加熱に供されたガスバーナの燃焼廃ガスや被調理物から発生する煙等の排気流れの抵抗を減少させて、良好な燃焼性を確保することのできるグリル庫の排気構造を提供することにある。又、排気ダクトを構成するのに一枚板を折曲加工のみで安価に製造することにある。
【０００９】
【課題を解決するための手段】
この課題を解決するため本発明に係るグリル庫の排気構造は、焼網上に載置される被調理物を加熱調理するガスバーナがグリル庫の内壁面に設けられると共に、該ガスバーナの燃焼廃ガスや被調理物から発生する煙等を排出する排気ダクトがグリル庫内の奥行部の隔壁に開設される連通口を介して設けられ、該連通口は前記焼網上に載置された被調理物よりも下方に設けられ、かつその上端幅が下端幅より長い逆台形状に形成され、前記排気ダクトは一枚板の折り曲げにより上方に向かってグリル庫の幅方向に漸次拡径となる逆台形状に形成されていることを要旨とするものである。
【００１０】
上記構成を有する本発明の請求項１記載のグリル庫の排気構造によれば、グリル庫内でガスバーナの燃焼廃ガスにより焼網上の被調理物が加熱調理され、その燃焼廃ガスや被調理物から発生する煙等は連通口より排気ダクトへ導かれて、グリル庫外へ排出されるが、そのとき、その排気ダクトは上方に向かって漸次拡径状に形成されているので、少ない抵抗でスムーズに排気される。また、前記連通口はその上端幅が下端幅より長い逆台形状に形成されているので、燃焼廃ガスや被調理物から発生する煙等が連通口上部に集中して流れても同様にスムーズに排気される。又、排気ダクトの側壁と後壁を一枚板を折り曲げて作ることができ、安価に製造できる。
【００１１】
また、グリル庫内の奥行部の隔壁に開設される連通口が焼網に載置される被調理物よりも下方に設けられているため、ガスバーナの燃焼廃ガスによる対流熱がグリル庫内にこもって、被調理物の加熱に十分に供された後、連通口から排気室にあふれた燃焼廃ガスや被調理物から発生する煙等がスムーズにグリル庫外へ排出される。
【００１２】
さらに、排気ダクトはグリル庫の幅方向に漸次拡径となる逆台形状に形成されているため、幅方向のスペースを利用することにより、奥行方向のスペースを犠牲にすることなく、またバーナ等の配設に影響を与えることなく簡易な構成で排気ダクトを漸次拡径状に形成することができる。
【００１３】
【発明の実施の形態】
以下に、本発明の一実施形態を図面を参照して詳細に説明する。図９は、本発明の一実施例に係る調理用グリルをテーブルコンロに適用した例を示している。図示されるようにこのテーブルコンロ１０は、テーブル天板１２面にコンロバーナ１４ａ，１４ｂが配置され、それらの周囲に設けられた五徳１３ａ，１３ｂ上に調理鍋（図示せず）を載せ、テーブルコンロ１０の前面に設けられる点火栓１８ａ，１８ｂを操作することによりそれぞれのコンロバーナ１４ａ，１４ｂが点火され、五徳１３ａ，１３ｂ上の調理鍋が加熱される。
【００１４】
そして、コンロバーナ１４ａ，１４ｂ間のテーブルコンロ１０の中央部には魚などの被調理物を加熱する調理用グリル２０が備え付けられ、テーブルコンロ１０前面にはグリル庫２２内の上バーナ２６及び下バーナ２７の点火栓４６が設けられている。
【００１５】
図１に示すように、グリル庫２２内には、上段に燃料ガスを燃焼させて被調理物Ｆを加熱調理する表面燃焼式の上バーナ２６と、中段に被調理物Ｆを載置する焼網２４と、下段に焼網２４を載せたまま手前にスライドさせて引き出すことができる受皿２８とが設けられている。また、焼網２４のやや下方にはブンゼン燃焼式の下バーナ２７が設けられている。
【００１６】
そして、このグリル庫２２の奥行部には、隔壁３０を介して並設され、上方に開口した排気口３２を備えた後述する排気ダクト３４が設けられることで排気室３６が形成される。排気口３２には前述した多孔板のフレームトラップ３３が設けられている。この隔壁３０に開口してグリル庫２２と排気室３６を連通する連通口３８が設けられ、連通口３８は焼網２４上の被調理物Ｆの載置面より低い位置に開口している。この連通口はその上端幅が下端幅より逆台形状に形成されている。ここで、焼網２４上の被調理物Ｆの載置面と連通口３８の上端位置との位置関係は、被調理物Ｆ周囲の燃焼廃ガスによる高温雰囲気が被調理物Ｆに着火しない酸素濃度となるように設定される。
【００１７】
グリル庫２２の正面中央には、受皿２８と一体的に固定され、受皿２８を手前に引き出す取手４２と、受皿２８を引き出す時に連動して開閉する開閉扉４４とが設けられ、その開閉４４にはガラス製の覗き窓４４ａが設けられる。このとき、取手４２を手前に引き出すと、取手４２に固定された受皿２８がグリル庫２２内底面をスライドし、受皿２８に載置された焼網２４が同時に引き出される。また、グリル庫２２手前側の底面には、外部より空気が流入して受皿２８を冷却する隙間４７が設けられている。
【００１８】
上バーナ２６は、多孔質セラミックスの平面プレートに多数の小炎口を貫通させた燃焼面を有する全１次空気式のものを用いられ、その燃焼面が垂直面に対して上方向に傾斜され、グリル庫２２の上方左右側面に設けられる。一方、下バーナ２７は燃焼に必要な空気を一次空気と二次空気とでまかない、輻射熱の発生の少ないブンゼン式のバーナが用いられ、上バーナ２６と同様にグリル庫２２の下方左右側面に一対設けられ、その内縁部分にはグリル庫２２の奥行方向に沿って配列されたノズル体により火口列を形成する。また、燃料ガスに着火する図示しない点火用電極の放電部が、噴出する燃料ガスを横切って放電するように設けられる。
【００１９】
また、グリル庫２２天井には、図２に示すように、グリル庫２２内の上バーナ２６より上段で左右のバーナ間の中央に、先端を下方へ向けると共に、バーナ方向へ傾斜面を向けた断面Ｖ字状の排気ガイド部４８及び分布板４８ａがグリル庫２２内に突き出るように設けられる。この排気ガイド部４８及び分布板４８ａは、グリル庫２２下方の被調理物Ｆが均一に加熱されるように燃焼廃ガスを導く目的で設けられる。このため、グリル庫２２の大きさ、ガス消費量、上バーナ２６の傾き、連通口３８の位置と大きさとにより、排気ガイド部４８の傾斜面高さと角度とが適切に設定される。
【００２０】
そして、図３及び図４に示すように、排気室３６は、その排気断面積が上方に向かうにつれて漸次広くなる逆台形状になるように、排気ダクト３４により形成され、排気ダクト３４上部には従来例と同じ幅のフレームトラップ３３を有する排気口３２が形成される。隔壁３０には、排気室３６に連通する連通口３８が排気ダクト３４の左右側面壁の形状に沿うように、連通口３８がその上端幅が下端幅より長い逆台形状に形成されている。この場合、図５に示すような、連通口３８の形状を従来例と同様に上端幅と下端幅が同じ長さの長方形に形成し、排気室３６を構成する排気ダクト３４の下部ををその長方形の連通口３８の形状にあわせて形成する構造のものが考えられるが、図６の排気ダクト３４を一枚板から折曲加工のみで製作するのは、その展開図である図６（ａ）の如く不可能である。しかし、図４に示すような構成であれば、排気ダクト３４の展開図である図４（ａ）のように一枚板から折曲加工のみで製作できる。
【００２１】
尚、図３及び図４に示される連通口３８は、上端に向かって漸次広くなる逆台形状に形成されているので、その連通口３８の下端幅が従来例のものよりも狭くなるが、グリル庫２２上部にたまって、連通口３８へあふれ出る燃焼廃ガスや被調理物から発生する煙等の排気の流れは、そのほとんどが連通口３８の広くなった上端部付近に集中して形成されるので、よりスムーズに排出される。
【００２２】
次に、燃焼廃ガス及び排気の流れについて説明する。まず、点火操作により、左右側方の上バーナ２６から噴出される燃料ガスに点火されて燃焼が開始されると、高温の燃焼廃ガスはグリル庫２２上部に溜まり、下方の連通口３８へあふれて排気室３６へ流入し、ドラフト効果により排気室３６内を上昇して排出される。燃焼がこのまま続けられると、図２に示すように燃焼廃ガスは、そのドラフト力と燃料ガスの噴出力とによって中央上方部に向けて流れ、断面Ｖ字状の排気ガイド部４８及び分布板４８ａに沿って上方から下方の被調理物Ｆ方向へ流れる。
【００２３】
この場合に、燃焼廃ガスの流れの方向が排気ガイド部４８の傾斜面により下方に導かれ、傾斜面から離れている部分の燃焼廃ガスもこの流れに導かれて下方に流れる。このため、燃焼廃ガスは被調理物Ｆ全体へ均一な流れとなり、燃焼廃ガスに接触する被調理物Ｆは均一に加熱される。このように、被調理物Ｆは、上バーナ２６の輻射熱によらないで、充満して均一に対流する高温の燃焼廃ガスに包まれ、また被調理物Ｆの下面は下バーナ２７の燃焼熱で加熱調理される。
【００２４】
上バーナ２６は、燃焼に必要な空気全てを１次空気として供給する全１次空気式バーナであるので、グリル庫２２が燃焼廃ガスで充満しても良好な燃焼を維持する。また、上バーナ２６は上方向に傾斜されているため、被調理物Ｆ、受皿２８に溜まった焼き脂への輻射加熱は弱くなる。しかも、同時に、排気室３６のドラフト効果によりグリル庫の手前の隙間４７から外部の新鮮な空気が吸引され、受皿２８を冷却して後方の連通口３８から排出されるため、受皿２８に水を入れなくても受皿２８上に落下した被調理物Ｆの焼き脂が過熱によって発火しない。
【００２５】
このとき、排気口３２の幅が従来と同じであるにもかかわらず、排気室３６は排気ダクト３４によって排気断面積が上方に向かうにつれて漸次広くなる逆台形状に形成されているので、排気室３６を上昇する燃焼廃ガスや被調理物Ｆから発生する煙等の排気が排気室３８内に滞留することなく排気上流側より排気下流側に向かって流出する。従って、排気のドラフト力をより効果的に得ることができ、抵抗の少ない円滑な排出が可能になる。
【００２６】
このように、ガスバーナの燃焼廃ガスによる対流熱がグリル庫２２内にこもって、被調理物の加熱に十分に供された後、連通口３８から排気室３６にあふれた燃焼廃ガスや被調理物Ｆから発生する煙等がスムーズにグリル庫外へ排出されるので、安定した燃焼を行なうことができ、さらに燃焼廃ガスに接触する被調理物Ｆはグリル庫内に充満して対流する高温の燃焼廃ガスに包まれて加熱調理されるので、良好に加熱調理され、被調理物Ｆの加熱効率が向上する。しかも、そのスムーズな排気の流れによりグリル庫の手前の隙間４７及びギャラリ４７ａから外部の新鮮な空気の吸引が促進され、受皿２８を冷却して後方の連通口３８から排出されるので、受皿２８の冷却効果が向上し受皿２８上に落下した被調理物Ｆの焼き脂が過熱が防止され、さらには下バーナ２７の燃焼に必要な二次空気としての利用も促進される。
【００２７】
以上本発明の実施例について説明したが、本発明はこうした実施例に何ら限定されるものではなく、本発明の要旨を逸脱しない範囲において、種々なる態様で実施することは勿論である。要するに排気室を形成する排気ダクトが上方に向かって漸次拡径状に形成されていれば良く、実施例では排気室の手前側の隔壁および後側の後壁を垂直に立設するようにしたが、それぞれ同方向または異方向に傾斜させても実施可能であるし、排気ダクト断面の形状も円形または楕円形でも良い。
【００２８】
【発明の効果】
本発明の請求項１に係るグリル庫の排気構造によれば、グリル庫内でガスバーナの燃焼廃ガスにより焼網上の被調理物が加熱調理され、その燃焼廃ガスや被調理物から発生する煙等は連通口より排気ダクトへ導かれて、グリル庫外へ排出されるが、そのとき、その排気ダクトは上方に向かって漸次拡径状に形成されているので、排気の流れが滞ることなく少ない抵抗でスムーズに排気される。そのためにガスバーナの燃焼性の改善に大きく貢献することになり、より安定した燃焼を行なうことが可能となって、効率的に被調理物を加熱調理することができることになり、特に前述の火炎の伝播を阻止して消炎させるフレームトラップを排気口に備えたときはその作用効果がより大きなものとなる。このとき、連通口３８がその上端幅が下端幅より長い逆台形状に形成されることにより、排気室を構成する排気ダクトを一の部材、例えば一枚の金属板を屈曲加工することで簡易で安価に製作できる。
【００２９】
また、グリル庫内の奥行部の隔壁に開設される連通口が焼網に載置される被調理物よりも下方に設けられているため、ガスバーナの燃焼廃ガスによる対流熱がグリル庫内にこもって、被調理物の加熱に十分に供された後、連通口から排気室にあふれた燃焼廃ガスや被調理物から発生する煙等が抵抗なくスムーズに排気室を上昇してグリル庫外へ排出されるので、グリル庫の手前の隙間から外部の新鮮な空気が、受皿を冷却するのに十分吸引されると共に、グリル庫内に高温の燃焼廃ガスがこもり過ぎないので、受皿に溜まった焼き脂等の過熱による発火が防止できる。さらにブンゼン式の下バーナを備えた場合には、燃焼に必要な二次空気の導入も促進され、その燃焼性をも改善されることになる。
【００３０】
さらに、排気ダクトはグリル庫の幅方向に漸次拡径となる逆台形状に形成されているため、幅方向のスペースを利用することにより、奥行方向のスペースを犠牲にすることなく排気ダクトを漸次拡径状に形成することができ、さらには下バーナ等の配設を制限することなく、その簡易な構造により安価なコストで製造できるので経済的である。
【図面の簡単な説明】
【図１】本発明の一実施形態に係る調理用グリルの奥行方向の断面図である。
【図２】本発明の一実施形態に係る図１に示した調理用グリルのＡ−Ａ断面図である。
【図３】本発明の一実施形態に係る図１に示した調理用グリルのＢ−Ｂ断面図である。
【図４】図３に示した排気ダクトの斜視図である。
【図５】本発明の他の実施形態に係る図１に示した調理用グリルのＢ−Ｂ断面図である。
【図６】図５に示した排気ダクトの斜視図である。
【図７】従来例に係る調理用グリルの排気構造を示した図である。
【図８】他の従来例に係る調理用グリルの排気構造を示した図である。
【図９】従来一般に知られる調理用グリルを備えたテーブルコンロの外観斜視図である。
【符号の説明】
２０  調理用グリル
２２  グリル庫
２６  上バーナ
２７  下バーナ
３０  隔壁
３２  開口部
３４  排気ダクト
３６  排気室
３８  連通口
【図１】
0004262860.tif 000002
【図２】
0004262860.tif 000003
【図３】
0004262860.tif 000004
【図４】
0004262860.tif 000005
【図５】
0004262860.tif 000006
【図６】
0004262860.tif 000007
【図７】
0004262860.tif 000008
【図８】
0004262860.tif 000009
【図９】
0004262860.tif 000010